(57)【要約】      （修正有）【課題】  最近、幼児等への犯罪が発生するという問題があるが、有効な救助手段はない状況である。【解決手段】  上記課題を解決するために、警察犬等の嗅覚能力を積極的により活かす酸臭等を内包させた香体袋を、幼児等に保持、携帯あるいは携行させることで警察犬等による幼児等の安全確保と犯罪の未然防止を図るとともに、より確実に幼児等の生命及び身体等の安全確保と幼児等への犯罪の未然防止を図ることができるようにしたものであり、災害時にも有効な手段となる。【選択図】図１
2008021278.tif 000002
【特許請求の範囲】
【請求項１】
幼児及び児童等（乳児、小中高大生、一般女子及び男子を含み、以下「幼児等」とする。）の生命及び身体等の安全を確保するために、シェパード犬等（以下「警察犬等」という。）の嗅覚能力を積極的により活かす酸臭等（酢酸、有機酸、他の酸系物及びそれらの成分を用いたもの、果実臭及びそれらの成分を用いたもの、またそれらの類似成分を用いたもの、犬のフェロモン成分を用いたもの、犬用餌の成分を用いたもの、犬用餌に用いるフレーバーオイルの類を含み、およそ警察犬等がその嗅覚を有効に活かすことのできる臭いをいう。以下「酸臭等」という。）を用いた安全予防グッズ（請求項３から請求項９及び請求項１０をいい、以下略する。）を幼児等に保持、携帯あるいは携行させて、警察犬等の嗅覚による追跡、探索等の能力を積極的により活かし高めることで幼児等（災害時の人命救助等における一般市民も含む。以下略する。）の生命及び身体等の安全を確保することを特徴とする安全対策の実施方法。
【請求項２】
幼児等の生命及び身体等の安全を確保するために、警察犬等の嗅覚能力をより活かし高めることとなる酸臭等を用いた安全予防グッズを幼児等に保持、携帯あるいは携行させて、警察犬等の嗅覚による追跡、探索等の能力が高まったことを周囲に広く周知及び認識させて幼児等への犯罪の思惑及びその行為の実施を未然に防止することを特徴とする安全対策の実施方法。
【請求項３】
警察犬等の嗅覚能力を積極的により活かすことのできる酸臭等を微粉末状、粉末状、粉状、固体状、液体状、ポリマー状、霧状及びそれらを複合したもの等に加工（以下「香体」という。）して、それらを天然繊維、化学繊維、皮革あるいは合成皮革等を用いて主に袋状（球状、線状、面状、棒状、箱状及び香り袋状等、およそ香体を活用できる全ての形状・材質のものを含む。以下略する。）に形成したもの（以下「香体袋」という。）を、幼児等が履く靴の内部、外部あるいは前部に設けた収納部に収納し、幼児等の発する汗等と混ざり合わさるようにして警察犬等の嗅覚能力を積極的により活かし高めたことを特徴とする請求項１あるいは請求項２記載の実施方法に要する安全予防靴（靴とは幼児等が使用する全ての履物をいう。また結び紐も含む。以下略する。）。
【請求項４】
幼児等に保持、携帯あるいは携行させ、幼児等の発する汗等と混ざり合わさるようにして警察犬等の嗅覚能力をより積極的に活かし高めたことを特徴とする請求項１あるいは請求項２記載の実施方法に要する香体あるいは香体袋（これに類するものを含む。以下略する。）。
【請求項５】
香体あるいは香体袋を、幼児等が履く靴の中敷きに収納する等の方法で含ませ、幼児等が発する汗等と混ざり合わさるようにして警察犬等の嗅覚能力を積極的により活かし高めたことを特徴とする請求項１あるいは請求項２記載の実施方法に要する安全予防中敷き（その目的及び性質が靴内部に収納させる敷物及び中敷き（全ての形状を含む。以下略する。）として用いられる全てのもの及びこれらに類するものを含む。以下略する。）。
【請求項６】
香体あるいは香体袋を、伸縮性と防水透湿性を有する天然繊維、化学繊維、皮革あるいは合成皮革等で形成された基体（支持体）と粘着剤で作られたシールの粘着面と一体的かつ取替及び交換可能となるように組合せて、幼児等が発する汗等と混ざり合わさることで警察犬等の嗅覚能力を積極的により活かし高めたことを特徴とする請求項１あるいは請求項２記載の実施方法に要する安全予防シール（絆創膏タイプ）（これらに類するものを含み、以下略する。）。
【請求項７】
香体あるいは香体袋を、天然繊維、化学繊維、皮革あるいは合成皮革等で作られたワッペン、ステッカーあるいは上記請求項６記載の安全予防シール（絆創膏タイプ）以外のシールの粘着面に付着させ幼児等の身体に触れるようにして、幼児等が発する汗等と混ざり合わさることで警察犬等の嗅覚能力を積極的により活かし高めたことを特徴とする請求項１あるいは２記載の実施方法に要する安全予防のためのワッペン・ステッカー・シール（これに類するものを含み、以下「安全予防ワッペン・シール」という。）。
【請求項８】
香体あるいは香体袋を、天然繊維、化学繊維、皮革、合成皮革、ガラス繊維あるいは全部又は一部を金属又はセラミクス製としたもので作られた腕輪（リストバンド、ブレスレット及びこれらに類するもの。以下「バンド等」という。）の内部あるいは表面部等に含ませて手や身体に触れるようにし、幼児等が発する汗等と混ざり合わさるようにして警察犬等の嗅覚能力を積極的により活かし高めたことを特徴とする請求項１あるいは２記載の実施方法に要する安全予防のためのバンド等（以下「安全予防バンド」という。）。
【請求項９】
香体あるいは香体袋を、天然繊維、化学繊維、皮革あるいは合成皮革等を用いて、およそ幼児等が身につける生活用品（帽子、手袋、衣類、ランドセル、時計、バッグ、アクセサリー、人形、香り袋及び携帯ストラップ等。またこれらに類するものを含み以下略する。）の内部あるいは外部等に収納しあるいは含ませて、幼児等が日常生活において身体に触れることで、幼児等が発する汗等と混ざり合わさるようにして警察犬等の嗅覚能力を積極的により活かし高めたことを特徴とする請求項１あるいは２記載の実施方法に要する安全予防のための生活用品（以下「安全予防生活用品」という。）。
【請求項１０】
上記請求項８記載のバンド等の内部に脈拍センサーあるいは脈波センサー（電池を含み、以下略する。）を設けて、それが直接的に腕の血脈部分に触れるようにし、幼児等の敏感な反応がそれらセンサー等（必要に応じて加速度センサーを付加する。）によって計測され、その情報が同バンド等の外部（手首の外側部分）に取り付けた反応装置（例えば有機ＥＬあるいは発光ダイオード等を利用して有色部が変化あるいは点滅、さらには点灯等の反応を示するようにした装置）に伝わり、その装置が反応して周囲に幼児等の敏感な反応（興味、驚き、恐怖、動揺、不安感等の心理状態）を知らしめることで、幼児等の安全予防ができるようにしたことを特徴とする脈拍反応式バンド等（以下「脈拍反応バンド」という。）。
【発明の詳細な説明】
【技術分野】
【０００１】  本発明は、警察犬等の嗅覚能力を積極的に活かし高めるような安全予防グッズを幼児等に保持、携帯あるいは携行させて、幼児等に対する犯罪者及び犯罪をしようとする者等（以下「犯罪者等」という。）の不正な思惑及び犯罪行為の未然防止及び阻止を図るとともに、万が一幼児等への犯罪あるいは事件が発生した場合であっても、より迅速な捜査及び解決に貢献することを目的とした、警察犬等の嗅覚能力を酸臭等を用いた安全予防グッズにより積極的に活かし高めることで幼児等の生命及び身体等の安全を確保するとともに幼児等への犯罪を未然に防止するための実施方法とそれらに要する安全予防グッズに関する。【０００２】  また、災害時において幼児等だけでなく一般市民についても、保持、携帯あるいは携行することで警察犬等の嗅覚能力を積極的により活かして迅速な人命救助を図れるようにもなる上記安全予防グッズに関する。
【背景技術】
【０００３】  我が国では、従前から警察庁により犯罪の解決手段として犬の嗅覚を活かした捜査方法が採られている。例えば、犯人追跡犬、麻薬捜査犬、犯罪探索犬等であり、近年では災害救助犬として震災等で活用されている。【０００４】  日本警察犬協会では、警察犬等の嗅覚能力について、酸臭等を用いた場合には人間嗅覚の約１億倍程にもなり、また警察犬等が嗅覚を機能させる形態として人間の足から発せられる汗等が靴等を通って地面や空中に伝わり、その匂いを警察犬等が追跡するということをホームページで公表している。【０００５】  一方、およそ日常生活では、まず履物及びその関連物（中敷き等）が必需品の一つであることから、衛生上の観点から消臭或いは除菌を目的とした履物及びその関連物が多種販売されている。【０００６】  またアクセサリーとしても、多種のリストバンドやブレスレットや匂い袋が販売され、さらには材料及び加工に工夫を施したワッペンあるいはシール等も数多くある。特に医療用あるいは衛生用シールとも呼ぶべき救急用絆創膏の類が、その通気性、防水透湿性といった諸機能を持たせて多数販売されている。
【発明の開示】
【発明が解決しようとする課題】
【０００７】  我が国では、近年特に幼児等の生命及び身体等の安全に対する凶悪な犯罪が多発しているが、凶悪ではなくとも幼児等に対する犯罪及び事件は昔から数多く存在している。【０００８】  それらの犯罪等をみると、近年の幼児等に対する犯罪者等が、ごく一般的な生活をしている市民に拡大していることがわかる。従前は主に性格異常者と呼ばれる限られた人間が多くの犯罪を犯していたのだが、近年では性格異常者の範囲は拡がり、普通の市民が一時的な感情の歪みから軽率な犯罪行動を取っている。さらには、その者達の低年齢化が顕著となっている。【０００９】  これらの状況及び背景を分析すると、以下の二つの主たる問題が根底にあることがわかる。【００１０】  一つは、人間社会における一般市民と国家（警察）間の問題である。これは、市民の生命及び身体等の安全は、国家権力が法律等に基づいてその維持及び確保を保障するという大前提を元として市民の信頼を得ることで現代の人間社会が存在している（国家安全保障と信頼）。【００１１】  そのために、国家（警察）は犯罪の防止及び取締りを行っているが、残念ながらその警察自体に多くの問題が発生（自らの犯罪行為、市民への軽率な対応等）したことで、国家権力による市民の安全保障が揺らぎ、市民からの信頼が薄れてきたことが、より多くの犯罪行為者を増長させた原因の一つである。【００１２】  もう一つは、人間社会における市民と市民間の問題である。これは、戦後の欧米化による個人主義の浸透で、日本古来からの伝統的な人間関係（助け合い、協力及び協調性）が崩壊したことで、日本人同士という仲間認識がなくなり、また同じ日本人としての共通の認識（日本人としての共通常識ともいう。）が消滅あるいは希薄となっている。【００１３】  そのために、隣人の態度や考え方が理解できずに脅威と感じて緊張状態となり、結果として隣人や他人を許す余裕がなくなって常に戦闘状態となるのである。つまりは市民と市民間の信頼関係が崩壊しているのである。【００１４】  このような一触即発状態では、助け合うことや協調性がなくなり、また信頼関係もなくなるので、隣人や他人といった相手を思いやれなくなり、自身を守ったり歪んだ感情を吐くために簡単に相手を傷つけることとなるのである。そして、時間と共にその行為自体に罪悪感を持たなくなるのである。【００１５】  結果として、多くの市民はその緊張状態から逃れるために、そして罪悪感が薄れているために、その不安やストレス等の感情の歪みをより弱者に向けて解決しようとし、多くの幼児等に対する犯罪が発生するのである。【００１６】  ところで、従前からの国家（警察）による犯罪の取締方法における警察犬等の活用方法では、主に犯罪が発生した場合の犯人の追跡あるいは被害者の捜査を行わせている。これも多くの犯罪に通常捜査として活用しているのではなく、警察内の命令権者が必要と判断した場合等に限定されているのが実状である。【００１７】  すなわち、警察犬等に対する認識の薄さ（能力と重要性は認識しつつも実感を持っていない。）及び経費的な制限（人件費、維持費、訓練費等）、さらには警察犬等の能力発揮が見込めるケースが限定されていると思い込んでいる（直接的な成果のみを追求している悪��）ことに起因する。【００１８】  しかし、このような理由による消極的な活用方法及び認識では、警察犬等の能力を十分に活かせないばかりか、警察犬等が人間社会に貢献できる能力及び成果までもを放棄していることは明らかである。【００１９】  なお、交通安全の催しや市民の身近な防犯意識の高揚の催しに警察犬等は利用されているが、これらも基本的には消極的な活用方法でしかない。【００２０】  本発明は、このような問題を解決するためのものであり、酸臭等を用いて製作あるいは形成した安全予防グッズを幼児等に保持、携帯あるいは携行させて、警察犬等の嗅覚能力を積極的により活かし高められるようにして幼児等の生命及び身体等の安全を確保するとともに幼児等への犯罪を未然に防止することを目的としている。【００２１】  そして、本発明によって警察犬等を広く人間社会の一員として積極的に参加及び認識させ、その絶対的な誠実さ及び正義感といったクリーンで安心できるイメージをもって、（１）市民と国家、及び（２）市民と市民の間にある「不信感・不安感・嫌悪感」を払拭し「信頼・安心・助け合い・勇気」を呼び戻して定着させることも目的としている。【００２２】  また、万が一幼児等が危険に直面した場合であっても、迅速な救助が可能となり、幼児等の生命及び身体等の安全確保がより確実となるだけでなく、災害時等の人命救助でも迅速かつ的確な捜査を可能とすることも目的としている。
【課題を解決するための手段】
【００２３】  上記目的を達成するために、まず警察犬等の嗅覚能力が積極的により活かし高められる酸臭等を用意する。これは警察犬等が、特にその嗅覚能力を発揮できるものである。【００２４】  元来警察犬等はえさ（食物）や異性（フェロモン、体臭、汗）等の生きるために必要な情報の臭いには特に敏感であり、中でも酸臭には最も反応し人間の約１億倍とも言われる嗅覚能力を発揮するからである。【００２５】  ただし、警察犬等にとって最も嗅ぎやすい酸臭は人間が嫌がる刺激臭を多く含むことから、幼児等に持たせることのできる程度の臭いに加減や加工したり、あるいは幼児等にとって嗅ぎやすい臭い（芳香機能による工夫）としなければならない。【００２６】  そのため、えさのような肉類等は警察犬等が嗅覚能力を損なわない必要最小限とし、同様に刺激臭をも少なくした酸臭としたり、芳香性のあるレモンやリンゴ等の柑橘類等を含ませたり混ぜ合わせたり加工したりすることで、幼児等にとって嫌みなく、警察犬等にとっても最大限の嗅覚能力を発揮できる程度の酸臭等を用意できることとなる。【００２７】  そして、この酸臭等を粉末状等に加工した香体及びその香体を伸縮性と防水透湿性のある天然繊維や化学繊維等によって主に袋状に形成した香体袋を用いて、以下の安全予防グッズを製作あるいは形成することとなるが、本発明はこれらに限るものではない。【００２８】  安全予防靴は、幼児等が使用する履物の内部、外部あるいは前部に収納部を設け、そこに香体袋を収納させるようにして一定期間経過後に香体袋を取替及び交換を容易にし、常に酸臭等の効果を持続させるようにしたものである。【００２９】  また、同靴の結び紐に香体を練り込んだり薄くした香体袋を接着等により貼り付けたりする組合せ方法も可能である。【００３０】  安全予防中敷きは、幼児等が使用する履物に用いる中敷きの、主に裏面の一部分に香体袋の収納部（ポケットタイプあるいは凹みタイプをいう。以下略する。）を設けて香体袋を収納するが、その際ポケットタイプでは香体袋を差し込み、単に収納する場合は接着テープ等で簡易に固定する。これにより、酸臭等の効果を維持した香体袋の取替及び交換が容易にできるようにしている。【００３１】  また同中敷きの裏面に微粉末状の香体を塗布したり、同中敷きの中間層部に薄く広げた香体袋を夾んだりしてもよく、その場合には同中敷き本体を取替及び交換することとなる。【００３２】  安全予防シール（絆創膏タイプ）は、医療用あるいは衛生用の救急絆創膏のように、伸縮性と防水透湿性を持たせた天然繊維あるいは化学繊維等で形成した基体（支持体）に粘着剤を塗布し、その面に香体袋を接着させ、さらに手で容易に剥がして使用できるように剥離用シール材を重ねた構造としている。【００３３】  これは、幼児等が使用する履物や中敷き、また衣類や日用品等、およそ幼児等が所持し又は身に付ける全てのものに対し、容易かつ簡単に剥離用シール材を剥がして同シール（絆創膏タイプ）を貼り付けることができるようにしたものである。【００３４】  安全予防ワッペン・シールは、上記安全予防シール（絆創膏タイプ）と同様の考えで、通常のワッペンあるいはシール（上記シールを除く。）やステッカー等に用いられる基体（支持体）を安全予防に使用できるようにしたグッズである。そしてこれらの構成体の中間層部あるいは粘着剤の塗布された箇所等に微粉末状等の香体を塗布したり、薄く形成した香体袋を重ね合わせたり含ませたりしたものである。【００３５】  安全予防バンドは、天然繊維あるいは化学繊維等あるいはその全部又は一部に金属又はセラミクス等を使用するリストバンド、ブレスレット、アクセサリー等のバンド等において、その一部分に香体あるいは香体袋を収納させ、接着させ、あるいは含ませて幼児等の発する汗等と一体的に合わさるようにしたものである。【００３６】  さらに、安全予防生活用品は、幼児等が日常使用したり所持する衣類、日用品、学業品（ランドセル等）等自体に、香体あるいは香体袋を収納させたり簡易に接着させたりすること等をしたものである。【００３７】  これらの安全予防グッズを幼児等に保持、携帯あるいは携行させて、ごく自然に警察犬等を積極的により活用させやすくした環境、すなわち幼児等を救助しやすい環境あるいは幼児等の生命及び身体等の安全を確保しやすい環境を整えるとともに、その一方でこのような環境が整備されていることを幼児等が通う学校等や近隣周辺あるいは世間一般に知らしめておくことで、幼児等に係わる人間を安心させ、犯意を持つ全ての人間に対する事前警告としての未然防止効果を発揮することとなる。【００３８】  これら安全予防グッズによる具体的な作用としては、幼児等の発する汗や体臭等とこれら安全予防グッズに含まれる香体あるいは香体袋の酸臭等が一体的に混ざり合って個々特別かつ固有の臭いとなり、それが警察犬等の嗅覚能力を最大限に発揮させる臭いとなるため、万が一幼児等が危険に直面しても迅速かつ確実な救助ができることとなる。【００３９】  これは、通常の人間は常に発汗し体温による体臭を出していてその１０％程度が足部から靴を通って地面に臭いを残すため、この地面に残った臭いを警察犬等は辿って追跡するのであるが、さらに空気中の残り香のような浮遊臭に対しても嗅覚能力が発揮されるのである。【００４０】  また、酸臭等を用いてはいないが、幼児等の心理状態（動揺、緊張、恐怖感等）の変化を脈拍や脈波センサーによって色の変化や光の変化（点滅等であって、音への変化も含む。）に変換して周囲に伝えるバンド等を保持、携帯あるいは携行させることで、幼児等の周囲の人間が幼児等の異変を事前に把握でき、より高い関心や注意を持つことができるようにした安全予防のための脈拍反応バンドも、幼児等への犯罪を未然に防止あるいは阻止できる安全予防グッズである。
【発明の効果】
【００４１】  本発明は、およそ以下の四つの効果が見込まれる。【００４２】  第一には、警察犬等をより身近に感じることで、犬の持つ絶対的な誠実さ（自分に係わる人間を絶対裏切らないこと）により愛着心や親近感が増し信頼関係がより強くなるとともに、犬の持つ絶対的な正義感と強さが自分を守ってくれるという安心感を生み、結果として警察に対する信頼感が増すことである（エコー効果）。【００４３】  幼児等にとっては、ごく自然に無意識のうちに警察犬等に対する信頼関係が生まれ、そのことで生じる安心感と警察への信頼回復がなされるのである。【００４４】  第二には、幼児等が安全予防グッズに対する認識がなくとも、万が一の際にはこれら安全予防グッズが有する酸臭等により、警察犬等の嗅覚能力が従前に比して格段に向上するため、より迅速かつ的確な被害者救出及び犯人逮捕が期待できることである。【００４５】  第三には、安全予防グッズを身につけることで幼児等と警察犬等との信頼がより強くなり、上記のように幼児等自体の精神的な強さを増すだけでなく、犯罪者等に対しても隙を見せないこととなり、その者達の歪んだ思惑の実行を抑制させて犯罪行為を未然に防止及び阻止することが期待できる。【００４６】  第四には、警察としても、警察犬等の維持、訓練等に対する経費は増すものの、市民との信頼関係の回復は、より多くの犯罪に対して市民からの情報提供等の協力を得られることとなる。また、災害時の人命救助においても迅速な発見が確実に期待できる。
【発明を実施するための最良の形態】
【００４７】  本発明の実施の形態を、その基本的考え方と図１〜図８に基づいて説明する。ただし、本発明はこれらに限るものではない。【００４８】  まず本発明の基本的考え方は、警察犬等の嗅覚能力を積極的により活用できる酸臭等を安全予防グッズに取り込み、それらを幼児等に身につけてもらうことで幼児等の生命及び身体等の安全を確保するとともに幼児等への犯罪に対する未然防止を図ることである。【００４９】  その前提として、警察犬等の嗅覚能力が人間社会の多くの犯罪を阻止し解決してきた事実と、その一方で近年の犯罪が幼児等を被害者として広く一般市民がその犯罪者の対象となってきている事実がある。【００５０】  これは、人間関係による歪みが多く起因しているため、科学力（ＧＰＳ等）に頼る安全対策では人間関係を疎遠・破壊するだけで根本的な解決は望めず、逆に人間不信を増長させるだけとなる。【００５１】  そこで、幼児等の生命及び身体等の安全対策の実施方法としては、古来より人間が心を許しかつ絶対的な信頼を与えている犬、それも警察犬等が広く一般市民の中でより積極的に活用されることが幼児等の人間的成長に支障なくかつ安全を確保できる方法となる。【００５２】  すなわち、警察犬等の嗅覚能力を積極的に活かすための最も有効な酸臭等を身近な安全予防グッズに取り込み、それらを幼児等に保持、携帯あるいは携行してもらうことで、ごく自然かつ無意識の内に多くの幼児等の生命及び身体等を守ることができるのである。【００５３】  次に、本発明の実施の形態を図１〜図８に基づいて説明する。【００５４】  図１は、安全予防シール（絆創膏タイプ）１の実施例の外観図である。これは伸縮性と防水透湿性を有する天然繊維あるいは化学繊維等によるフィルム又は不織布状の基体（支持体）２に、粘着剤３（アクリル系やシリコン系等で以下略する。）を塗布し、その面に取替及び交換可能とした香体袋４を付着させ、さらにその上に手ですぐ剥がせるようにした剥離用シール材５を重ねて形成する。【００５５】  これは、幼児等が使用する履物、衣類及び生活用品等に対し、上記安全予防シール（絆創膏タイプ）１の剥離用シール材５を直接手で剥がして、幼児等の汗や体臭等と香体袋４の酸臭等が一体的に混ざり合わさるように履物や衣類等に貼り付けることで、警察犬等の嗅覚能力を積極的により活かし高めることができ、結果として幼児等の生命及び身体等の安全予防だけでなく、万が一の場合にも迅速かつ的確な救助ができることとなる。【００５６】  図２は、安全予防ワッペン・シール６の実施例の外観図である。これは図１の安全予防シール（絆創膏タイプ）１とその使用方法及び効果は同じであるが、基体（支持体）２ー１は主に市販のワッペン、ステッカー及びシール等のそれと同じであり、粘着剤３を用いたその粘着面に香体袋４を付着させて製作あるいは形成する。【００５７】  図３は、安全予防靴７の実施例の外観図である。これは幼児等の使用する履物８で、内側部９ー１と前部９−２に収納部９を設け、そこに取替及び交換可能となる香体袋４を収納させるものである。なお収納部は内側部９−１又は前部９−２の一方でも問題はない。【００５８】  図４は、図３にある安全予防靴７の実施例のＡＡ断面図である。これは安全予防靴７を踵方面に見たもので、内側部９ー１の断面形状において香体袋４を収納できるようにポケットタイプの収納部（靴用）９を設けている。なお、この収納部（靴用）９に上蓋を設けてマジックテープ留めにしたり靴底１０に香体４−１を練り込む等他の方法も可能である。【００５９】  図５は、安全予防中敷き１１の実施例の外観図である。これは、主に中敷き１２の裏面に香体袋４用の収納部（中敷き用）１４を設けて、そこに香体袋４を差し込むポケットタイプとして固定したものである。なお、同収納部（中敷き用）１４に香体袋４を収納する際、接着テープ１３を用いて固定する方法もある。さらに、収納部（中敷き用）１４を設けずに直接に上記裏面に図１の安全予防シール（絆創膏タイプ）１を貼り付けることもできる。【００６０】  図６は、図５の安全予防中敷き１１の実施例のＡＡ断面図である。中敷き１２の裏面に、香体袋４用の収納部（中敷き用）１４を設け、そこに香体袋４を差し込むポケットタイプとして固定したものである。【００６１】  図７は、安全予防バンド１５の実施例の平面図である。通常のリストバンド１６の一部に、細い香体袋４用の収納部（バンド用）１７を設け、香体袋４を収めて幼児等の汗が発散しやすい腕等に身に付けさせるものである。【００６２】  なお、図７と同様に香体袋４を幼児等が発する汗等と絡ませるグッズとしては、他に香り袋や帽子等の安全予防生活用品を用いることもできる。【００６３】  図８は、周辺市民の協力を得やすくすることで幼児等の身体及び生命の安全を確保しようとする脈拍反応バンド１８の平面図である。【００６４】  これは、脈拍反応バンド１８の内側部に脈拍センサー１９あるいは脈波センサー２０と電池部２１を設けて腕の血脈部分に触れるようにし、幼児等の敏感な反応がそれらセンサー等（加速度センサー２１を含む。）によって計測され、その情報が外側部に設けた反応装置２２（有機ＥＬ或いは発光ダイオード等による色変化、点滅等の反応を示す装置）に伝わり、同装置２２が反応して周囲に幼児等の敏感な反応（興味、驚き、恐怖、動揺、不安感等の心理状態）を知らしめることで、幼児等の安全予防ができるようにしたものである。
【図面の簡単な説明】
【００６５】
【図１】本発明における安全予防グッズ（安全予防シール（絆創膏タイプ））の実施例の外観図
【図２】同グッズ（安全予防ワッペン・シール）の実施例の外観図
【図３】同グッズ（安全予防靴）の実施例の外観図
【図４】図３における安全予防グッズ（安全予防靴）の実施例のＡＡ断面図
【図５】同グッズ（安全予防中敷き）の実施例の外観図
【図６】図５における安全予防グッズ（安全予防中敷き）の実施例のＡＡ断面図
【図７】本発明における安全予防グッズ（安全予防バンド）の平面図
【図８】本発明における脈拍反応バンドの平面図
【符号の説明】
【００６６】  １      安全予防シール（絆創膏タイプ）
２−１  基体（支持体）（通常のワッペン・シール用）
２      基体（支持体）
３      粘着剤
４−１  香体
４      香体袋
５      剥離用シール材
６      安全予防ワッペン・シール
７      安全予防靴
８      履物
９      収納部（靴用）
９−１  内側部
９−２  前部
１０    靴底
１１    安全予防中敷き
１２    中敷き
１３    接着テープ
１４    収納部（中敷き用）
１５    安全予防バンド
１６    リストバンド
１７    収納部（バンド用）
１８    脈拍反応バンド
１９    脈拍センサー
２０    脈波センサー
２１    加速度センサー
２２    反応装置
２３    電池
【図１】
2008021278.tif 000003
【図２】
2008021278.tif 000004
【図３】
2008021278.tif 000005
【図４】
2008021278.tif 000006
【図５】
2008021278.tif 000007
【図６】
2008021278.tif 000008
【図７】
2008021278.tif 000009
【図８】
2008021278.tif 000010